(57)【要約】【課題】受取人に贈答品とともに最新のメッセージ情報が記載された送り状を渡すことができる贈答品配送システムを提供する。【解決手段】ユーザ端末１１から販売センタ端末１２に送信された受取人Ｒの受取人情報に対して登録番号を付し、その登録番号をユーザ端末１１に送信するようにした。そして、注文者は前記登録番号に対応して所望のメッセージ及び画像をユーザ端末１１に入力し、その入力したメッセージ及び画像の各データを宅配便会社端末１３に送信し、同宅配便会社端末１３に一時記憶されるようにした。そして、前記各データを携帯電話１４に読込こませ、その携帯電話１４を宅配車Ｔに搭載されたプリンタ１５を使ってメッセージカードＭＣを作成する。【選択図】      図１
2004303056.tif 000002
【特許請求の範囲】
【請求項１】
贈答品に関する贈答品情報と前記贈答品を受け取る受取人に関する受取人情報とを登録するユーザ端末と、ネットワークを介して、前記ユーザ端末に前記贈答品情報を送信するとともに前記ユーザ端末から前記受取人情報とその受取人情報に対する前記贈答品情報とを受信し登録する販売者端末と、前記ネットワークを介して、前記販売者端末から前記受取人情報とその受取人情報に対する前記贈答品情報とを受信し登録する配送管理端末と、前記配送管理端末からの前記受取人情報とその受取人情報に対する前記贈答品情報とを受信し前記贈答品を受取人に配達するための配達先を受取人情報から取得する配送手段と
を備えた贈答品配送システムにおいて、
前記ユーザ端末は、前記贈答品とともに受取人に配達するメッセージに関するメッセージ情報を送信する送信手段を備え、前記配送管理端末は、前記ネットワークを介して前記メッセージ情報を受信し登録する登録手段を備え、前記配送手段は前記配送管理端末が受信した受取人情報に関連付けてメッセージ情報に基づいてメッセージを印刷するメッセージ印刷手段を備えたことを特徴とする贈答品配送システム。
【請求項２】
請求項１に記載の贈答品配送システムにおいて、
前記販売者端末は、前記ユーザ端末からの前記贈答品情報を識別する識別手段を作成し、その作成した前記識別手段を前記ユーザ端末及び前記配送管理端末に送信し、
前記ユーザ端末は、前記識別手段に対応した前記メッセージ情報を作成し、その作成した前記メッセージ情報を前記配送管理端末に送信し、
前記配送管理端末は、前記識別手段に対応した前記メッセージ情報を前記配送手段に配信するようにしたことを特徴とする贈答品配送システム。
【請求項３】
請求項１または２に記載の贈答品配送システムにおいて、
前記配送手段は、携帯電話と前記メッセージ印刷手段とを備えていることを特徴とする贈答品配送システム。
【請求項４】
請求項１乃至３のいずれか１つに記載の贈答品配送システムにおいて、
前記メッセージ印刷手段はインクジェット式プリンタである特徴とする贈答品配送システム。
【請求項５】
請求項１乃至４のいずれか１つに記載の贈答品配送システムにおいて、
前記メッセージ印刷手段によって印刷される印刷媒体には前記印刷媒体上に印刷されたメッセージを保護する保護膜が設けられていることを特徴とする贈答品配送システム。
【発明の詳細な説明】
【０００１】
【発明の属する技術分野】
本発明は、贈答品配送システムに関するものである。
【０００２】
【従来の技術】
従来、注文者がネットワークを介して贈答品を販売する販売者端末にアクセスして、前記販売者端末に所望の贈答品情報及びその贈答品を受け取る受取人の氏名や住所といった受取人に関する情報を登録し、その登録された贈答品を受取人に配送する贈答品配送システムがある。また、前記贈答品配送システムは、前記ネットワークを介して販売者端末に登録された前記各情報に基づいて贈答品を受取人に配送する配送手段としての宅配車に配信する配信端末が接続されている。この種の贈答品配送システムにおいては、前記配信端末にて注文者が希望する送り状を作成し、その作成された送り状を前記贈答品とともに受取人に配送するようにしたものが知られている（例えば、特許文献１）。
【０００３】
【特許文献１】
特開２００１−３０６６６４号公報
【０００４】
【発明が解決しようとする課題】
しかしながら、前記送り状に記載される情報（メッセージ情報）は、前記したように、前記配信端末に一時記憶され、その記憶された送り状に関する情報に基づいて送り状が作成される。そして、その作成された送り状を贈答品とともに配送して受取人に渡すようにしている。従って、受取人に渡される送り状は、注文者が贈答品を依頼するときのものであって、贈答品を登録した日時とその贈答品が受取人に配送される日時とが長くなると、その分だけ送り状の情報も古いものとなってしまう。つまり、前記贈答品配送システムでは、最新の送り状情報が記載された送り状を渡すことは困難であった。
【０００５】
本発明は上記問題点を解消するためになされたものであって、その目的は、受取人に贈答品とともに最新のメッセージ情報が記載された送り状を渡すことができる贈答品配送システムを提供することにある。
【０００６】
【課題を解決するための手段】
本発明における贈答品配送システムは、贈答品に関する贈答品情報と前記贈答品を受け取る受取人に関する受取人情報とを登録するユーザ端末と、ネットワークを介して、前記ユーザ端末に前記贈答品情報を送信するとともに、前記ユーザ端末から前記受取人情報とその受取人情報に対する前記贈答品情報とを受信し登録する販売者端末と、前記ネットワークを介して、前記販売者端末から前記受取人情報とその受取人情報に対する前記贈答品情報とを受信し登録する配送管理端末と、前記配送管理端末からの前記受取人情報とその受取人情報に対する前記贈答品情報とを受信し、前記贈答品を受取人に配達するための配達先を受取人情報から取得する配送手段とを備えた贈答品配送システムにおいて、前記ユーザ端末は、前記贈答品とともに受取人に配達するメッセージに関するメッセージ情報を送信する送信手段を備え、前記配送管理端末は、前記ネットワークを介して前記メッセージ情報を受信し登録する登録手段を備え、前記配送手段は前記配送管理端末が受信した受取人情報に関連付けてメッセージ情報に基づいてメッセージを印刷するメッセージ印刷手段を備えた。
【０００７】
これによれば、注文者は、贈答品が受取人に受け渡される前にメッセージ情報を前記配送管理端末に送信すればよい。従って、注文者は、送り状を受取人Ｒに受け渡される直前にメッセージ情報を配送手段に送信することで、受取人には、最新のメッセージ情報が記載された送り状を渡すことができる。
【０００８】
この贈答品配送システムにおいて、前前記販売者端末は、前記ユーザ端末からの前記贈答品情報を識別する識別手段を作成し、その作成した前記識別手段を前記ユーザ端末及び前記配送管理端末に送信し、前記ユーザ端末は、前記識別手段に対応した前記メッセージ情報を作成し、その作成した前記メッセージ情報を前記配送管理端末に送信し、前記配送管理端末は、前記識別手段に対応した前記メッセージ情報を前記配送手段に配信するようにしてもよい。
【０００９】
これによれば、ユーザ端末から販売者端末に送信された各受取人情報に対して識別手段を付し、その識別手段をユーザ端末に送信するようにした。そして、注文者は前記識別手段に対応して所望のメッセージ情報をユーザ端末に入力し、その入力したメッセージ情報を配送管理端末を介して配送手段に送信するようにした。従って、配送手段は、受取人とメッセージ情報とを容易に対応付けることができる。
【００１０】
この贈答品配送システムにおいて、前記配送手段は、前記配送手段は、携帯電話と前記メッセージ印刷手段とを備えていてもよい。
これによれば、メッセージ情報を容易に取得することができる。
【００１１】
この贈答品配送システムにおいて、前記メッセージ印刷手段はインクジェット式プリンタであってもよい。
これによれば、インクの交換といったメッセージ印刷手段のメンテナンスを容易にすることができる。
【００１２】
この贈答品配送システムにおいて、前記メッセージ印刷手段によって印刷される印刷媒体には前記印刷媒体上に印刷されたメッセージを保護する保護膜が設けられてもよい。
【００１３】
これによれば、印刷媒体上に印刷されることで作成された送り状を水や粉塵等から保護することができる。
【００１４】
【発明の実施の形態】
以下、本発明を具体化した実施形態を図１〜図８に従って説明する。図１は、本発明の実施形態に係る贈答品配送システムの構成を示すブロック図である。図２は、メッセージカード情報画面の図である。図３は、メッセージ入力画面の図である。図４は、画像入力画面の図である。図５は、所望のメッセージ及び画像が表示された状態の前記メッセージカード情報画面の図である。
【００１５】
図１に示すように、本発明の実施形態に係る贈答品配送システム１０は、ユーザ端末１１と、販売者端末としての販売センタ端末１２と、配送管理端末としての宅配便会社に設けられた宅配便会社端末１３とを備えている。そして、前記ユーザ端末１１と販売センタ端末１２と宅配便会社端末１３とは、ネットワークＣを介して相互に接続され、後記する各種情報を送受信できるようになっている。
【００１６】
また、贈答品配送システム１０は、前記注文者からの注文事項に応じた贈答品Ｂ及びメッセージカードＭＣを宅配する配送手段としての宅配車Ｔと、その宅配車Ｔに対応して備え付けられた携帯電話１４と、前記宅配車Ｔに搭載されたメッセージ印刷手段としてのプリンタ１５とを備えている。プリンタ１５は、本実施形態においては、インクジェット式のカラープリンタである。従って、プリンタサイズが比較的小型にすることができるので、持ち運びが容易で且つインクの交換といったプリンタ１５のメンテナンスが容易となる。
【００１７】
ユーザ端末１１は、例えば、パーソナルコンピュータ、携帯電話といった情報処理装置である。このユーザ端末１１は、販売者が販売センタ端末１２を介してネットワークＣ上に提供しているホームページにアクセスすることで、後記する贈答品情報、受取人情報、メッセージ情報及び画像情報といった各種情報を入力する表示画面を表示するようになっている。
【００１８】
詳述すると、ユーザ端末１１は、販売者が提供する前記ホームページにアクセスすると、注文者の氏名や住所といった注文者の個人情報（以下、ユーザ情報という）を登録する図示しないユーザ情報登録画面がその表示画面上に表示されるようになっている。また、この表示画面にて、前記ユーザ情報を登録すると、そのユーザ情報が同ユーザ端末１１に一時的に記憶されるようになっている。また、ユーザ端末１１は、販売者が提供する前記ホームページにアクセスすると、贈答品の名称、商品番号、価格、個数及びその贈答品の写真といった贈答品に関する贈答品情報が表示された図示しない贈答品情報画面がその表示画面上に表示されるようになっている。また、この表示画面にて、複数の贈答品の中から所望の贈答品Ｂを選択決定すると、その旨の内容が同ユーザ端末１１に一時的に記憶されるようになっている。
【００１９】
また、ユーザ端末１１は、前記ホームページにアクセスすると、注文者が選択決定した所望の贈答品Ｂの名称、商品番号、価格及びその個数等の贈答品情報と、その贈答品Ｂを受け取る受取人Ｒの氏名や住所といった受取人情報とを入力する図示しない受取人情報画面がその表示画面上に表示されるようになっている。そして、その受取人情報画面が表示された表示画面にて、注文者が希望する受取人の受取人情報を入力すると、その受取人情報を前記ユーザ端末１１に一時的に記憶されるようになっている。そして、ユーザ端末１１の表示画面上に表示される図示しない送信ボタンを使用して前記ネットワークＣを介してユーザ端末１１に一時的に記憶された前記受取人情報及び贈答品情報を前記販売センタ端末１２に送信することができる。
【００２０】
さらに、ユーザ端末１１は、前記受取人情報及び贈答品情報を前記販売センタ端末１２に送信した後であって、後記する登録番号を前記販売センタ端末１２から送信されると、注文者が選択決定した所望の贈答品Ｂとともに送信手段としてのメッセージカード情報画面Ｈがその表示画面上に表示されるようになっている。メッセージカード情報画面Ｈは、後記する送り状としてのメッセージカードＭＣに記載されるメッセージや画像のデータを入力するための画面である。
【００２１】
図２は、そのメッセージカード情報画面Ｈを示す図である。メッセージカード情報画面Ｈは、前記メッセージカードＭＣのレイアウト１６が表示された画面である。前記メッセージカード情報画面Ｈは、その左側に注文者が希望するメッセージが表示されるメッセージ表示領域ＺＭが表示される。また、メッセージカード情報画面Ｈの右側には注文者が希望する画像が表示される画像表示領域ＺＰが表示される。
【００２２】
また、前記メッセージ表示領域ＺＭの上方には、「メッセージ」と表示されたメッセージ入力ボタン１８が表示されている。このメッセージ入力ボタン１８は、メッセージカードＭＣに所望のメッセージを入力する場合に使用される入力ボタンである。そして、前記メッセージ入力ボタン１８を例えばユーザ端末１１に備え付けられたマウスでクリックすると、所望のメッセージを入力するためのメッセージ入力画面Ｈ１が表示される。
【００２３】
図３は、メッセージ入力画面Ｈ１を示す図である。メッセージ入力画面Ｈ１には、図３に示すように、メッセージ入力領域２０の他に決定ボタン１７ａ及びキャンセルボタン１７ｂとが表示されている。
【００２４】
前記メッセージ入力領域２０は、前記したように、所望のメッセージを入力するためのエリアであって、同メッセージ入力領域２０に直接所望のメッセージを入力するとそのメッセージをテキストデータとしてユーザ端末１１に読み込ませることができる。
【００２５】
決定ボタン１７ａは、ユーザ端末１１が読み込んだ前記メッセージに対するテキストデータをそのユーザ端末１１に一時的に記憶させるためのものである。そして、前記決定ボタン１７ａを、例えばユーザ端末１１に備え付けられたマウスでクリックすることによって、前記メッセージ入力領域２０に入力された前記テキストデータをユーザ端末１１に一時的に記憶させることができる。また、前記決定ボタン１７ａを、例えばユーザ端末１１に備え付けられたマウスでクリックすると、前記メッセージ入力領域２０に入力されたメッセージが前記メッセージ表示領域ＺＭに表示された状態でメッセージカード情報画面Ｈに表示されるようになっている。
【００２６】
また、キャンセルボタン１７ｂは、ユーザ端末１１が読み込んだ前記メッセージに対するテキストデータを消去または修正する場合に使用するものである。そして、キャンセルボタン１７ｂを、例えばユーザ端末１１に備え付けられたマウスでクリックすると、前記メッセージがユーザ端末１１に記憶されないようになっている。また、前記キャンセルボタン１７ｂを、例えばユーザ端末１１に備え付けられたマウスでクリックすると、前記メッセージ入力領域２０に入力されたメッセージが前記メッセージ表示領域ＺＭには、表示されていない状態のメッセージカード情報画面Ｈとなる。
【００２７】
また、前記画像表示領域ＺＰの上方には、「画像」と表示された画像入力ボタン１９が表示されている。この画像入力ボタン１９は、メッセージカードＭＣに所望の画像を入力する場合に使用される入力ボタンである。そして、前記画像入力ボタン１９を、例えばユーザ端末１１に備え付けられたマウスでクリックすると、所望の画像を入力する画像入力画面Ｈ２がユーザ端末１１に表示される。
【００２８】
図４は、画像入力画面Ｈ２を示す図である。画像入力画面Ｈ２には、図４に示すように、画像入力領域２１の他に前記決定ボタン１７ａ及び前記キャンセルボタン１７ｂとが表示されている。
【００２９】
前記画像入力画面Ｈ２は、前記したように、所望の画像を入力するための入力画面であって、画像入力領域２１に直接所望の画像の画像データＧを転送するとその画像データＧをユーザ端末１１に読み込ませることができる。
【００３０】
前記画像入力画面Ｈ２上の決定ボタン１７ａは、ユーザ端末１１が読み込んだ前記画像データＧをそのユーザ端末１１に一時的に記憶させるためのものである。そして、前記決定ボタン１７ａを、例えばユーザ端末１１に備え付けられたマウスでクリックすることによって、前記画像入力領域２１に入力された前記画像データＧをユーザ端末１１に一時的に記憶されることができる。また、前記決定ボタン１７ａを、例えばユーザ端末１１に備え付けられたマウスでクリックすると、前記画像入力領域２１に入力された画像が前記画像表示領域ＺＰに表示された状態でメッセージカード情報画面Ｈに表示されるようになっている。
【００３１】
また、キャンセルボタン１７ｂは、ユーザ端末１１が読み込んだ前記画像の画像データＧを消去する場合に使用するものである。そして、キャンセルボタン１７ｂを、例えばユーザ端末１１に備え付けられたマウスでクリックすると、前記画像データＧがユーザ端末１１に記憶されないようになっている。また、前記キャンセルボタン１７ｂを、例えばユーザ端末１１に備え付けられたマウスでクリックすると、前記画像入力領域２１に入力された画像データＧが前記画像表示領域ＺＰには、表示されていない状態のメッセージカード情報画面Ｈとなる。尚、前記画像データは、例えば、デジタルカメラで撮影した画像の画像データＧである。そして、例えば、撮影した画像の画像データＧが記憶されたメディア（記憶媒体）をユーザ端末１１に接続し、そのメディア（記憶媒体）に記憶された画像データＧのファイルをユーザ端末１１に読み込ませるようにしてもよい。
【００３２】
そして、前記のようにして、前記メッセージカード情報画面Ｈにて、所望のメッセージ及び画像を前記ユーザ端末１１に一時的に記憶させると、前記メッセージ及び前記画像が表示されたメッセージカードＭＣのレイアウト１６が前記情報画面Ｈ上に表示される。
【００３３】
図５は、メッセージカードＭＣのレイアウト１６が表示された表示画面Ｈ３を示す図である。図５に示すように、メッセージカードＭＣのレイアウト１６が表示された表示画面Ｈ３上には、「送信」と表示された送信ボタン２１ａ及び「キャンセル」と表示されたキャンセルボタン２１ｂがそれぞれ表示されている。
【００３４】
送信ボタン２１ａは、前記表示画面Ｈ３上に表示された前記メッセージ及び前記画像が所望のものであって、その前記メッセージ及び前記画像が印刷されたメッセージカードＭＣを前記受取人Ｒに贈る旨を決定した場合に使用するものである。そして、送信ボタン２１ａを、例えば前記ユーザ端末１１に備え付けられたマウスでクリックすると、ユーザ端末１１に一時的に記憶された前記ユーザ情報、メッセージデータ及び画像データが前記ネットワークＣを介して宅配便会社端末１３に送信される。このメッセージデータ及び画像データは、販売センタ端末１２から送信される登録番号に対応付けられている。つまり、前記ユーザ端末１１から宅配便会社端末１３に送信されるメッセージデータ及び画像データは、販売センタ端末１２から送信される登録番号によって前記ユーザ端末１１から販売センタ端末１２に送信された受取人Ｒの受取人情報と一義的に認識される。
【００３５】
キャンセルボタン２１ｂは、前記表示画面Ｈ３上に表示された前記メッセージ及び前記画像が所望のものではなく、その前記メッセージ及び前記画像が印刷されたメッセージカードＭＣを前記受取人Ｒに贈らない旨を決定した場合に使用するものである。そして、キャンセルボタン２１ｂを、例えば前記ユーザ端末１１に備え付けられたマウスでクリックすると、ユーザ端末１１に一時的に記憶された前記メッセージデータ及び画像データＧが宅配便会社端末１３に送信されない状態となる。
【００３６】
販売センタ端末１２は、前記したように、贈答品情報を前記ネットワークＣ上に提供させる。また、販売センタ端末１２は、前記ユーザ端末１１から送信された前記ユーザ情報、贈答品情報及び前記受取人情報を受信し登録する登録手段を備えている。そして、販売センタ端末１２は、前記ユーザ情報、贈答品情報及び前記受取人情報を受信し登録するとともに、その表示画面に前記贈答品情報を表示する。このことによって、販売者が注文者からの所望の贈答品Ｂの在庫の有無を確認させることができる。
【００３７】
また、前記販売センタ端末１２は、前記所望の贈答品Ｂの在庫が有ってその贈答品Ｂが宅配可能である場合は、その旨のメッセージを前記ネットワークＣを介して前記ユーザ端末１１に送信する。このとき、前記販売センタ端末１２は、前記ユーザ端末１１から送信された前記受取人情報に対して識別手段としての一つの登録番号を付すとともに、その登録番号を前記ネットワークＣを介して前記ユーザ端末１１に送信する。さらに、前記販売センタ端末１２は、前記ユーザ端末１１から送信された所望の贈答品Ｂの名称、商品番号、価格、個数、及び、その贈答品Ｂの前記受取人情報、並びに同受取人情報に対応して付せられた前記登録番号を前記ネットワークＣを介して宅配便会社端末１３に送信する。
【００３８】
また、前記販売センタ端末１２は、前記所望の贈答品Ｂの在庫が無くその贈答品Ｂを宅配できない場合は、その旨のメッセージを前記ネットワークＣを介して前記ユーザ端末１１に送信する。
【００３９】
宅配便会社端末１３は、前記販売センタ端末１２からの前記贈答品Ｂの名称、商品番号、価格、個数、及び、その贈答品Ｂの前記受取人情報、並びに同受取人情報に対応して付せられた前記登録番号を受信するとともに、それら各情報及び登録番号を一時記憶する。また、宅配便会社端末は、前記ユーザ端末１１から送信された前記メッセージデータ及び画像データを受信するとともに、それら各データをその対応する登録番号に応じて一時記憶する。
【００４０】
携帯電話１４は、前記したように、各宅配車Ｔに対応して備え付けられている。携帯電話１４は、宅配便会社端末１３が提供しているホームページにアクセスして、前記登録番号を入力する。すると、その登録番号に対応した受取人Ｒの、前記宅配便会社端末１３に一時記憶されたメッセージデータ及び画像データを携帯電話１４に読込ませることができる。
【００４１】
宅配車Ｔには、前記プリンタ１５と、そのプリンタ１５を使って印刷される印刷媒体としての印刷紙Ｐが搭載されている。前記プリンタ１５は、前記携帯電話１４に読込まれた前記メッセージデータ及び前記画像データに基づいてメッセージ及び画像を印刷紙Ｐ上に印刷するプリンタである。詳しくは、プリンタ１５には、前記携帯電話１４と接続し、同携帯電話１４に転送された前記メッセージデータ及び前記画像データを読み込むための図示しない読み込み装置が設けられている。そして、その読み込み装置に前記携帯電話１４を接続することで、プリンタ１５に前記メッセージデータ及び画像データを直接読み込ませることができる。そして、前記プリンタ１５は、そのメッセージデータ及び画像データに基づいたメッセージ及び画像を印刷紙Ｐ上に印刷することができる。
【００４２】
図６は、本実施形態に使用される印刷紙Ｐの平面図である。印刷紙Ｐは、図６に示すように、前記注文者が所望するメッセージが印刷されるメッセージ印刷領域ＲＭ及び前記画像が印刷される画像印刷領域ＲＰを備えている。また、印刷紙Ｐは、前記画像印刷領域ＲＰ上に張り合わされることで印刷された画像を水や粉塵等から保護する透明な保護膜としてのラミネートフィルムＬＦが備え付けられている。
【００４３】
詳しくは、前記ラミネートフィルムＬＦは、前記画像印刷領域ＲＰは形成されている台紙２３に連結されている。また、ラミネートフィルムＬＦは、台紙２３上に張り合わされている。前記ラミネートフィルムＬＦに張り合わされている領域の台紙２３にはミシン目２２が形成されている。また、ラミネートフィルムＬＦの右上部には切り欠け部２４が形成されている。この切り欠け部２４は、ラミネートフィルムＬＦを台紙２３から容易に剥ぎ取るようにするためのものである。
【００４４】
そして、印刷実行後、台紙２３をラミネートフィルムＬＦから剥ぎ取り、その剥ぎ取られたラミネートフィルムＬＦを前記画像印刷領域ＲＰ上に印刷された画像上に張り合わせる。このように印刷紙ＰにラミネートフィルムＬＦが予め連結されているので、印刷された画像を保護するためのものを別途用意する必要がない。従って、印刷された画像を容易に保護することができる。
【００４５】
図７は、前記プリンタ１５を使用して所望のメッセージ及び画像を前記印刷紙Ｐ上に印刷した後のメッセージカードＭＣの全体斜視図である。図７に示すように、印刷紙Ｐの前記メッセージ印刷領域ＲＭ及び前記画像印刷領域ＲＰには、それぞれ、携帯電話１４を使って前記宅配便会社端末１３から転送されたメッセージデータ及び画像データに基づいたメッセージ及び画像がそれぞれ印刷されている。そして、前記台紙２３を印刷紙Ｐからミシン目２２に沿って剥ぎ取り、その剥ぎ取られた台紙２３に対応した位置に連結されたラミネートフィルムＬＦを前記画像印刷領域ＲＰ上に張り合わせる。このようにすることで、メッセージ及び画像が印刷された印刷紙Ｐを水や粉塵等から保護することができる。
【００４６】
以上のように贈答品配送システム１０を構成することで、贈答品Ｂとともに所望のメッセージ及び画像が記載されたメッセージカードＭＣを受取人Ｒに受け渡すことができる。また、前記携帯電話１４からのメッセージデータ及び画像データの読み込み依頼は、そのメッセージデータ及び画像データを受け取る受取人Ｒの登録番号を含んでいる。つまり、前記宅配便会社端末１３に一時記憶されたメッセージデータ及び画像データは、販売センタ端末１２から送信される登録番号によって前記ユーザ端末１１から販売センタ端末１２に送信された受取人Ｒの受取人情報と一義的に認識される。従って、贈答品ＢとメッセージカードＭＣとの対応付けを容易に行なうことができる。
【００４７】
また、前記携帯電話１４は、注文者がユーザ端末１１から所望のメッセージデータ及び画像データを前記宅配便会社端末１３に送信した後であれば、いつでもそのメッセージデータ及び画像データを読込むことができる。つまり、注文者は、贈答品Ｂが受取人Ｒに受け渡される前に所望のメッセージデータ及び画像データを前記宅配便会社端末１３に送信すればよい。また、このようにすることで、注文者が受取人Ｒに渡すメッセージカードＭＣに印刷されるメッセージ及び画像は、贈答品Ｂが受取人Ｒに受け渡される直前であってもよいので、受取人Ｒには、最新のメッセージ及び画像を渡すことができる。
【００４８】
次に、前記本発明の実施形態に係る贈答品配送システム１０の作用を図８に従って説明する。図８は、本発明の実施形態に係る贈答品配送システム１０を説明するためのフローチャートである。
【００４９】
まず、注文者は、ユーザ端末１１を使用して、販売者がネットワークＣ上に提供しているホームページにアクセスする（ステップＳ−１）。そして、これに応答して、販売センタ端末１２は、前記ユーザ情報登録画面を表示させるための表示データや贈答品情報をユーザ端末１１に送信する（ステップＳ−２）。そして、ユーザ端末１１には、ユーザ情報登録画面及び贈答品情報が画面上に表示される（ステップＳ−３）。
【００５０】
注文者は、ユーザ端末１１の画面に表示された前記ユーザ情報登録画面にてユーザ情報を登録する（ステップＳ−４）。続いて、注文者は、ユーザ端末１１の画面に表示された各贈答品に関する情報を見て所望する贈答品Ｂ等を決定し、この贈答品Ｂを注文する旨を表示画面上で登録する（ステップＳ−５）。
【００５１】
続いて、注文者が画面上の決定ボタンをマウスでクリックすると、ユーザ端末１１には、受取人情報画面が表示され（ステップＳ−６）、その受取人情報画面にて受取人Ｒの受取人情報を登録する（ステップＳ−７）。注文者は、前記ユーザ情報、受取人情報及び所望する贈答品Ｂに関する贈答品情報を販売センタ端末１２に送信する（ステップＳ−８）。
【００５２】
販売センタ端末１２は、前記ユーザ端末１１からのユーザ情報、受取人情報及び所望する贈答品Ｂに関する贈答品情報を受信する（ステップＳ−９）。そして、販売センタ端末１２は、そのユーザ情報、受取人情報及び所望する贈答品Ｂに関する贈答品情報に対して一つの登録番号を付す。その後、販売センタ端末１２は、前記ユーザ情報、贈答品Ｂに関する贈答品情報、受取人情報及び登録番号を前記ユーザ端末１１及び宅配便会社端末１３にそれぞれ送信する（ステップＳ−１０）。
【００５３】
続いて、前記ユーザ端末１１は、販売センタ端末１２からの前記ユーザ情報、贈答品Ｂに関する贈答品情報、受取人情報及び登録番号を受信する。そして、この登録番号に対応して前記ユーザ端末１１の表示画面上に前記メッセージ入力画面Ｈ１が表示される。そして、このメッセージ入力画面Ｈ１及び画像入力画面Ｈ２を使って所望のメッセージデータ及び画像データを入力する（ステップＳ−１１）。つまり、注文者は、ここでメッセージカードＭＣの内容を入力する。そして、前記ユーザ端末１１は、前記入力されたメッセージデータ及び画像データを宅配便会社端末１３に送信する（ステップＳ−１２）。
【００５４】
前記宅配便会社端末１３は、前記ユーザ端末１１から送信された前記メッセージデータ及び前記画像データを受信し、その受信した前記メッセージデータ及び前記画像データを付された登録番号に対応して一時記憶する。
【００５５】
次に、宅配便会社は、宅配便会社端末１３を介して配送指示情報を入手すると、倉庫の場所および受取人Ｒの受取人情報から宅配車Ｔの配車スケジュールを調整して配送予定日および予定時間帯を確定する。その後、配送予定日または予定時間帯に前記携帯電話１４からネットワークＣを介して前記宅配便会社端末１３にアクセスし、前記受取人Ｒに対するメッセージデータ及び画像データの読み込み依頼を送信する（ステップＳ−１３）。このとき、前記メッセージデータ及び画像データの読み込み依頼は、そのメッセージデータ及び画像データを受け取る受取人Ｒの登録番号を含んでいる。
【００５６】
すると、宅配便会社端末１３は、前記携帯電話１４からのメッセージデータ及び画像データの読み込み依頼に応じて所望のメッセージデータ及び画像データを前記携帯電話１４に送信する（ステップＳ−１４）。そして、前記携帯電話１４は、前記宅配便会社端末１３から送信される、受取人Ｒに対応したメッセージデータ及び画像データを読み込む（ステップＳ−１５）。このとき、前記宅配便会社端末１３に一時記憶されたメッセージデータ及び画像データは、販売センタ端末１２から送信される登録番号によって前記ユーザ端末１１から販売センタ端末１２に送信された受取人Ｒの受取人情報と一義的に認識される。従って、贈答品ＢとメッセージカードＭＣとの関連付けを容易に行なうことができる。
【００５７】
そして、宅配便会社端末１３を介して得られたメッセージデータ及び画像データもとに印刷紙Ｐ上にプリンタ１５を用いてメッセージカードＭＣの印刷を実行する  （ステップＳ−１６）。
【００５８】
以上のように、贈答品Ｂとともに所望のメッセージ及び画像が記載されたメッセージカードＭＣを受取人Ｒに受け渡すことができる。
前記実施形態の贈答品配送システムによれば、以下のような特徴を得ることができる。
【００５９】
（１）前記実施形態では、前記ユーザ端末１１から販売センタ端末１２に送信された受取人Ｒの受取人情報に対して登録番号を付し、その登録番号をユーザ端末１１に送信するようにした。そして、注文者は前記登録番号に対応して所望のメッセージ及び画像をユーザ端末１１に入力し、その入力したメッセージ及び画像の各データを宅配便会社端末１３に送信し、同宅配便会社端末１３に一時記憶されるようにした。
【００６０】
従って、携帯電話１４を使って贈答品Ｂとともに渡されるメッセージカードＭＣに記載されるメッセージ及び画像の各データを読込むとき、その贈答品ＢとメッセージカードＭＣを受け取る受取人Ｒを認識することができる。
【００６１】
（２）前記実施形態では、前記ユーザ端末１１から販売センタ端末１２に送信された受取人Ｒの受取人情報に対して登録番号を付し、その登録番号をユーザ端末１１に送信するようにした。従って、注文者は、贈答品Ｂが受取人Ｒに受け渡される前に所望のメッセージデータ及び画像データを前記宅配便会社端末１３に送信することができる。また、このようにすることで、注文者が受取人Ｒに渡すメッセージカードＭＣに印刷されるメッセージ及び画像は、贈答品Ｂが受取人Ｒに受け渡される直前であっても可能となることから、受取人Ｒには、最新のメッセージ及び画像を渡すことができる。
【００６２】
（３）前記実施形態では、印刷紙Ｐには、その画像印刷領域ＲＰ上に張り合わされるラミネートフィルムＬＦが備え付けられている。従って、印刷紙Ｐ上に印刷された画像を水や粉塵等から保護することができる。
【００６３】
（４）前記実施形態では、プリンタ１５は、インクジェット式のプリンタである。従って、持ち運びが容易で且つトナーの交換といったプリンタ１５のメンテナンスが容易となる。
【００６４】
尚、発明の実施形態は、上記実施形態に限定されるものではなく、以下のように実施してもよい。
○上記実施形態では、メッセージデータ及び画像データを携帯電話１４を使ってプリンタ１５に読込ませるようにしたが、これに限定されるものではなく、たとえば、ＰＤＡやモバイル型パーソナルコンピュータを使ってメッセージデータ及び画像データをプリンタ１５に読込ませるようにしてもよい。このようにすることによって、上記と同様な効果を得ることができる。
【００６５】
○上記実施形態では、ユーザ端末１１は、販売者が販売センタ端末１２を介してネットワークＣ上に提供しているホームページにアクセスし、ユーザ端末１１を使用して受取人情報を販売センタ端末１２に送信した後、販売センタ端末１２から受取人情報に対して登録番号を付すようにした。そして、その登録番号をユーザ端末１１に送信するようにした。これを、ユーザ端末１１が前記ホームページにアクセス時点で登録番号が付されるようにしてもよい。このようにすることで、登録番号が付される時間を短縮することができる。
【００６６】
○上記実施形態では、インクジェット式プリンタ１５を使用して印刷紙Ｐ上にメッセージ及び画像を印刷するようにしたが、インクジェット式のプリンタでなくてもよく、要は、宅配車Ｔに搭載できる小型のプリンタであればよい。
【００６７】
○上記実施形態では、配送手段を宅配車Ｔに適用したが、これに限定されるものではなく、要は、宅配便会社端末１３からメッセージデータまたは画像データを受信する手段と、そのメッセージデータまたは画像データを印刷するメッセージ印刷手段とを備えているものであればよい。
【００６８】
○上記実施形態では、保護膜としてのラミネートフィルムＬＦを前記画像印刷領域ＲＰ上に張り合わせるようにしたが、これに限定されるものではなく、印刷紙Ｐの全体をラミネートで張り合わせるようにしてもよい。このようにすることで、画像ばかりでなくメッセージも保護することができる。
【図面の簡単な説明】
【図１】本発明の実施形態に係る贈答品配送システムの構成を示すブロック図である。
【図２】メッセージカード情報画面の図である。
【図３】メッセージ入力画面の図である。
【図４】画像入力画面の図である。
【図５】メッセージ及び画像が表示された状態のメッセージカード情報画面の図である。
【図６】本実施形態に使用される印刷紙の平面図である。
【図７】メッセージ及び画像を印刷したメッセージカードの全体斜視図である。
【図８】本発明の実施形態に係る贈答品配送システムを説明するためのフローチャートである。
【符号の説明】Ｂ…贈答品、ＬＦ…保護膜としてのラミネートフィルム、Ｐ…印刷媒体としての印刷紙、Ｒ…受取人、Ｔ…宅配車、１０…贈答品配送システム、１１…ユーザ端末、１２…販売者端としての販売センタ端末、１３…配送管理端末としての宅配便会社端末、１４…配送手段としての携帯電話、１５…メッセージ印刷手段としてのインクジェット式プリンタ。
【図１】
2004303056.tif 000003
【図２】
2004303056.tif 000004
【図３】
2004303056.tif 000005
【図４】
2004303056.tif 000006
【図５】
2004303056.tif 000007
【図６】
2004303056.tif 000008
【図７】
2004303056.tif 000009
【図８】
2004303056.tif 000010